(57)【特許請求の範囲】
【請求項１】
ロール状の包装物を収容する包装容器の長手方向に沿って設けられ、前記包装物を切断する切断刃であって、
複数の歯が配列された中央エリアと、前記中央エリアの外側で複数の歯が配列された一対の外部エリアと、を有し
前記外部エリアのみに、歯先が外側を向いた外向歯を有し、
前記外部エリアは、複数の前記外向歯を有し、
前記外向歯の外側の斜辺と前記外向歯の外側に隣接して配置された隣接歯の内側の斜辺とは、円弧によって連接されており、
前記円弧の曲率半径は、０．３ｍｍ以上１．３ｍｍ以下であり、
前記複数の外向歯は、
歯先がより外側を向いており、かつ前記中央エリアにより近い位置に配置された第１の外向歯と、
歯先がより上方を向いており、かつ前記中央エリアからより離れた位置に配置された第２の外向歯と、
を有する、
切断刃。
【請求項２】
前記外部エリアは、前記中央エリアに隣接して配置された側部エリアと、前記側部エリアの外側に配置された一対の端部エリアと、を有し
前記第１の外向歯は、前記側部エリアに配置されている、
請求項１に記載の切断刃。
【請求項３】
前記第１の外向歯をＴ１とし、
前記第１の外向歯Ｔ１の外側に隣接して配置された隣接歯をＴ２とし、
前記第１の外向歯Ｔ１の内側に隣接して配置された隣接歯をＴ３とし、
前記第１の外向歯Ｔ１の外側の斜辺の延長線と、前記隣接歯Ｔ２の内側の斜辺の延長線と、が交差する点を交差点Ｓ１とし、
前記第１の外向歯Ｔ１の内側の斜辺の延長線と、前記隣接歯Ｔ３の外側の斜辺の延長線と、が交差する点を交差点Ｓ２とし、
交差点Ｓ１と交差点Ｓ２とを結ぶ仮想直線である歯底線に対して前記第１の外向歯Ｔ１の歯先から垂ろした垂線が、前記歯底線と交差する点を交差点Ｓ３とするとき、
交差点Ｓ１と交差点Ｓ３との間の距離Ｄ１と、交差点Ｓ１と交差点Ｓ２との間の距離Ｄ２と、の比率は以下の式１を満たす、
Ｄ１／Ｄ２  ＝  ０．２０以上０．４０以下    ・・・（式１）
請求項２に記載の切断刃。
【請求項４】
前記外部エリアは、前記中央エリアに隣接して配置された側部エリアと、前記側部エリアの外側に配置された一対の端部エリアと、を有し
前記第２の外向歯は、前記端部エリアに配置されている、
請求項１〜３のいずれか１項に記載の切断刃。
【請求項５】
前記第２の外向歯をＴ４とし、
前記第２の外向歯Ｔ４の外側に隣接して配置された隣接歯をＴ５とし、
前記第２の外向歯Ｔ４の内側に隣接して配置された隣接歯をＴ６とし、
前記第２の外向歯Ｔ４の外側の斜辺の延長線と、前記隣接歯Ｔ５の内側の斜辺の延長線と、が交差する点を交差点Ｓ４とし、
前記第２の外向歯Ｔ４の内側の斜辺の延長線と、前記隣接歯Ｔ６の外側の斜辺の延長線と、が交差する点を交差点Ｓ５とし、
交差点Ｓ４と交差点Ｓ５とを結ぶ仮想直線である歯底線に対して前記第２の外向歯Ｔ４の歯先から垂ろした垂線が、前記歯底線と交差する点を交差点Ｓ６とするとき、
交差点Ｓ４と交差点Ｓ６との間の距離Ｄ３と、交差点Ｓ４と交差点Ｓ５との間の距離Ｄ４と、の比率は以下の式２を満たす、
Ｄ３／Ｄ４  ＝  ０．３５以上０．５０未満    ・・・（式２）
請求項４に記載の切断刃。
【請求項６】
前記中央エリアに配置された一の歯は、前記一の歯の外側の斜辺と前記一の歯に隣接する歯の斜辺とが、円弧によって連接されている、
請求項１〜５のいずれか１項に記載の切断刃。
【請求項７】
前記一の歯の外側の斜辺と前記一の歯に隣接する歯の斜辺とを連接する円弧の曲率半径（Ｒｃ）は、０．５ｍｍ以上１．３ｍｍ以下である、
請求項６に記載の切断刃。
【請求項８】
前記外部エリアは、
歯先が外側を向いていない上向歯を有し、
前記上向歯は、前記上向歯の外側の斜辺と前記上向歯に隣接する歯の斜辺とが、円弧によって連接されている、
請求項１〜７のいずれか１項に記載の切断刃。
【請求項９】
前記外部エリアは、前記中央エリアに隣接して配置された側部エリアと、前記側部エリアの外側に配置された一対の端部エリアと、を有し
前記上向歯は、前記側部エリアに配置され、
前記上向歯の外側の斜辺と前記上向歯に隣接する歯の斜辺とを連接する円弧の曲率半径（Ｒ１′）は、０．３ｍｍ以上１．３ｍｍ以下である、
請求項８に記載の切断刃。
【請求項１０】
ロール状の包装物を収容する収容箱と、上記収容箱から引き出された上記包装物を切断する請求項１〜９のいずれか１項に記載の切断刃と、を有する包装容器。
【発明の詳細な説明】
【技術分野】
【０００１】
本発明は、切断刃および包装容器に関する。
【背景技術】
【０００２】
食品の包装などに用いるフィルム状の包装物は、ロール状に巻回されて、略直方体の包装容器に収容される。当該包装容器は、通常、包装物を収容する収容箱と、収容箱から使用量だけ引き出された包装物を切断するための、複数の歯が配列されてなる鋸状の切断刃と、を有する。上記収容箱は、ひとつの面が開口面となっている略直方体の本体部と、上記開口面を開閉する蓋部と、を有し、上記切断刃は、上記蓋部の端辺に配置される。包装物の使用者は、収容箱に収容された包装物の端部を把持して引っ張ることにより、フィルム状の包装物を本体部と蓋部との隙間から引き出し、蓋部を閉じて、本体部と蓋部との間に挟まれた包装物を上記切断刃で切断することにより、使用量の包装物を包装容器から取り出すことができる。【０００３】
包装容器から引き出された包装物の切断方法としては、包装容器を回動させて包装物を中央から切断していく方法（以下、このような切断方法を単に「中央カット」ともいう。）と、包装物の幅方向端部を把持して包装容器に対して捻ることで包装物の幅方向端部から切断していく方法（以下、このような切断方法を単に「端カット」ともいう。）と、が知られている。特許文献１および特許文献２には、切断刃をＶ字状とすることで中央からの切断を容易にし、一方で切断刃の側部エリアに歯先が外側を向いた歯（以下、単に「外向歯」ともいう。なお、歯先が外側を向かず、蓋部を閉じたときに包装容器の底部に向くように垂直に近い方向を向いた歯を、後述する図面では図中上方向を向いているため、以下、単に「上向歯」ともいう。）を配置することで幅方向端部からの切断も容易とした切断刃を有する包装容器が記載されている。【０００４】
なお、このような包装容器において、巻回された包装物の逆回転などにより切断された包装物が本体部の内部へ巻き戻って、包装物の端部が巻回された包装物の表面に貼り付いてしまうことがある。そして、上記貼り付いてしまった端部を再び本体部と蓋部との間に復旧させるとき（以下、単に「復旧時」ともいう。）に、巻回方向への包装物の引き裂き（縦裂け）が生じ得ることが知られている。縦裂けが生じる作用機序は、以下のようであると考えられている。つまり、隣接する歯の歯先が包装物に刺し込まれてそれぞれの歯先により開始された包装物への破断が合流するときに、上記隣接する歯の一方の歯によって開始される破断が過剰に進行することにより、破断の合流点に切り欠き（亀裂）が生じる。そして、巻回された包装物からの引き剥しなどで包装物に印加される応力が上記切り欠きに集中すると、切り欠きを開始点とする新たな破断が進行して、縦裂けが生じてしまう。【０００５】
特許文献３には、歯高が異なる複数の歯を交互に配置し、かつ、隣接する歯の向かい合う斜辺同士を弧によって連結した切断刃が記載されている。特許文献３によれば、上記向かい合う斜辺の延長線が交差する点と、上記弧と、の間の距離を「平滑距離」とし、上記向かい合う斜辺の延長線が交差する点と、歯高が同じ複数の歯の歯先を結ぶ直線と、の間の距離をそれぞれの歯高に応じて「第１距離」および「第２距離」とするとき、第１距離に対する平滑距離の割合および第２距離に対する平滑距離の割合をそれぞれ所定の範囲にすることによって、縦裂けが抑制されることが記載されている。
【先行技術文献】
【特許文献】
【０００６】
【特許文献１】特開２００９−８３９１７号公報
【特許文献２】特開２０１０−１２０６５６号公報
【特許文献３】特開２００９−１３２４０６号公報
【発明の概要】
【発明が解決しようとする課題】
【０００７】
特許文献１および特許文献２に記載の切断刃では、幅方向端部からの包装物の切断が外向歯によってより容易になっている。また、特許文献３に記載の切断刃では、縦裂けが生じにくいため、復旧が容易になっている。【０００８】
しかし、本発明者らの知見によれば、特許文献１および特許文献２に記載された切断刃によっても、幅方向端部からの切断時に意図せぬ斜め方向への包装物の切断（斜め切れ）が生じることがある。これは、特許文献１および特許文献２に記載された外向歯によっても、幅方向端部からの切断時に端部の歯が包装体に対して十分に刺し込まれず、包装物が横滑りしてしまうことによると考えられる。【０００９】
また、本発明者らの知見によれば、特許文献３に記載された切断刃によっても、復旧時の包装体への裂けの発生を完全には抑制しきれてはおらず、巻き戻り時に、包装体に裂けが発生しないように復旧させにくいことがあった。【００１０】
本発明は、上記課題に鑑みてなされたものであり、中央からも幅方向端部からも包装物を切断しやすく、かつ、巻き戻り時の復旧が容易になる切断刃、および当該切断刃を有する包装容器を提供することを、その目的とする。
【課題を解決するための手段】
【００１１】
上記課題を解決するための本発明の一態様は、ロール状の包装物を収容する包装容器の長手方向に沿って設けられ、前記包装物を切断する切断刃に関する。上記切断刃は、複数の歯が配列された中央エリアと、前記中央エリアの外側で複数の歯が配列された一対の外部エリアと、を有し、前記外部エリアのみに、歯先が外側を向いた外向歯を有する。前記外向歯の外側の斜辺と前記外向歯の外側に隣接して配置された隣接歯の内側の斜辺とは、円弧によって連接されており、前記円弧の曲率半径（Ｒ１）は、０．３ｍｍ以上１．３ｍｍ以下である。【００１２】
また、本発明の他の態様は、ロール状の包装物を収容する収容箱と、上記収容箱から引き出された上記包装物を切断する上記切断刃と、を有する包装容器に関する。
【発明の効果】
【００１３】
本発明により、中央からも幅方向端部からも包装物を切断しやすく、かつ、巻き戻り時の復旧が容易になる切断刃、および当該切断刃を有する包装容器が提供される。
【図面の簡単な説明】
【００１４】
【図１】図１は、本発明の一実施形態に関する包装容器の構成を模式的に示す、蓋部を閉じたときの斜視図である。
【図２】図２は、本発明の一実施形態に関する包装容器の構成を模式的に示す、蓋部を開いたときの斜視図である。
【図３】図３は、本発明の一実施形態に関する切断刃の模式的な構成を示す正面図である。
【図４】図４は、本発明の一実施形態に関する切断刃の中央エリアを構成する歯を示す、図３における領域Ｘの部分拡大図である。
【図５】図５は、本発明の一実施形態に関する切断刃の側部エリアを構成する歯を示す、図３における領域Ｙの部分拡大図である。
【図６】図６は、本発明の一実施形態に関する切断刃の端部エリアを構成する歯を示す、図３における領域Ｚの部分拡大図である。
【図７】図７は、本発明の他の実施形態に関する切断刃の模式的な構成を示す正面図である。
【図８】図８は、本発明の他の実施形態に関する切断刃の中央エリアと側部エリア（側部接続領域）との境界付近を構成する歯を示す、図７における領域Ｓの部分拡大図である。
【図９】図９は、本発明の他の実施形態に関する切断刃の側部接続領域と側部メイン領域との境界付近を構成する歯を示す、図７における領域Ｔの部分拡大図である。
【図１０】図１０は、本発明の他の実施形態に関する切断刃の端部接続領域および端部メイン領域を構成する歯を示す、図７における領域Ｕの部分拡大図である。
【図１１】図１１は、本発明の他の実施形態に関する包装容器の構成を模式的に示す、蓋部を閉じたときの斜視図である。
【図１２】図１２は、本発明のさらに他の実施形態に関する包装容器の構成を模式的に示す、蓋部を閉じたときの斜視図である。
【発明を実施するための形態】
【００１５】
［第１の実施形態］
（包装容器）
図１は、本発明の一実施形態に関する包装容器１０の構成を模式的に示す、蓋部を閉じたときの斜視図であり、図２は、包装容器１０の構成を模式的に示す、蓋部を開いたときの斜視図である。
【００１６】
包装容器１０は、長尺状の包装用フィルムなどを巻芯の周りにロール状に巻回してなる包装物５０を引き出し可能に収容する収容箱１００と、切断刃２００と、を有する。
【００１７】
収容箱１００は、包装物５０を収容する本体部１１０、および本体部１１０に対して回動自在に連接された蓋部１２０を有する。本体部１１０および蓋部１２０は、一枚の厚紙を折り曲げて一体的に形成される。
【００１８】
なお、以下の説明において、「幅方向」とは、巻回された包装物の巻回軸に沿った方向であり、包装物の巻芯が伸びる方向を意味する。また、「巻回方向」とは、包装物において、幅方向に直交する方向であり、かつ、使用時に引き出される端部側から巻芯に近づく方向を意味する。また、「端部」とは、切断刃において、幅方向の端部を意味し、「外側」とは、切断刃において、歯の配列する方向における中央部側から端部側に向かう方向を意味し、「内側」とは、切断刃において、歯の配列する方向における端部側から中央部側に向かう方向を意味する。
【００１９】
また、以下の説明において、「上端」とは、前板１１４および後板１１６の、底板１１８とは反対側の端部を意味し、「両端」とは、前板１１４が正面となるように包装容器１０を配置したときの、包装容器を構成する各部材の左右の端部を意味する。
【００２０】
本体部１１０は、一対の端板１１２ａおよび１１２ｂ、前板１１４および後板１１６、ならびに底板１１８を有する。本体部１１０は、展開図において底板１１８の周囲に配置された端板１１２ａおよび１１２ｂ、ならびに前板１１４および後板１１６を、底板１１８に対して同じ方向に屈折させて形成した、略直方体状の箱体である。本体部１１０は、底板１１８に対向する上面側に、開口面１１９を有する。
【００２１】
蓋部１２０は、後板１１６の上端から延出した延出部を、前板１１４側に屈折させることにより、後板１１６との連接部１２８に沿って回動可能に後板１１６に連接される。蓋部１２０は、蓋板１２２、掩蓋片１２４、ならびに一対の側蓋片１２６ａおよび１２６ｂ、を有する。蓋部１２０は、展開図において蓋板１２２の周囲に配置された掩蓋片１２４ならびに側蓋片１２６ａおよび１２６ｂを、蓋板１２２に対して同じ方向に屈折させて形成される。
【００２２】
蓋板１２２は、開口面１１９と略同じ形状および大きさを有する略長方形の板状部材であり、上記連接部１２８に沿って回動することにより、開口面１１９を開閉する。掩蓋片１２４は、蓋板１２２の前端から延出した延出部を、蓋板１２２が開口面１１９を閉じたときに底板１１８へと向かう側に屈折させることにより、蓋板１２２に連接して形成された板状部材であり、蓋板１２２が開口面１１９を閉じたときに前板１１４の上端側領域を覆う位置に配置される。
【００２３】
掩蓋片１２４は、蓋板１２２の前端から掩蓋片１２４の先端１２５ａまでの長さが、蓋板１２２の前端の両端部から中央部に向かうにつれて長くなっていく形状を有する。これにより、掩蓋片１２４の先端１２５は、蓋板１２２が開口面１１９を閉じて掩蓋片１２４が前板１１４を覆うときに、底板１１８側を向いた、略Ｖ字状となる。たとえば、掩蓋片１２４は、蓋板１２２の前端のうち中央部における、前端から掩蓋片１２４の先端１２５ａまでの長さが、前板１１４の短辺の長さの略３／４となり、蓋板１２２の前端のうち端部における、前端から掩蓋片１２４の先端１２５ｂまでの長さが、前板１１４の短辺の長さの略１／２となるような形状を有する。
【００２４】
切断刃２００は、掩蓋片１２４の先端１２５と略同一である略Ｖ字の形状を有する切断刃であり、たとえば、シーラントおよび接着剤などを介して、超音波接着により、掩蓋片１２４のうち先端１２５の内面側となる位置に、長手方向に沿って接着されて配置される。
【００２５】
包装容器１０は、蓋部１２０が開口面１１９を閉じて、掩蓋片１２４が前板１１４と対向して前板１１４を覆った状態で、保管される。このとき、本体部１１０に収容された包装物５０は、その先端が開口面１１９から引き出され、前板１１４に接触する。包装物５０の使用者は、蓋部１２０をわずかに開いた状態で包装物５０である包装用フィルムなどの先端を把持し、使用量だけを引き出した後、蓋部１２０を閉じて、切断刃２００により包装物５０を切断する。このとき、掩蓋片１２４の中央部を親指で押さえて掩蓋片１２４を前板１１４に対して押し付けながら、包装容器１０を下向きに回転させることで、包装物５０である包装用フィルムなどをその中央部から切断刃２００により切断することができる（中央カット）。あるいは、引き出された包装物５０の幅方向端部を把持し、把持された上記幅方向端部を収容箱１００に対して上向きに捻るか、または把持された上記幅方向端部に対応する収容箱１００の幅方向端部を下向きに捻ることで、包装物５０である包装用フィルムなどを上記幅方向端部から切断刃２００により切断することができる（端カット）。
【００２６】
（切断刃）
図３は、本実施形態に関する切断刃２００の模式的な構成を示す正面図である。切断刃２００は、図３における切断刃２００の上側領域に複数の歯が配列されており、図３における切断刃２００の下側領域が掩蓋片１２４のうち先端１２５の内面側となる位置に接着されて、上記複数の歯が先端１２５からわずかに突出するように配置される。
【００２７】
切断刃２００は、中央エリア２１０、中央エリア２１０の外側に配置された一対の側部エリア２２０、および側部エリア２２０の外側で切断刃２００の端部に配置された一対の端部エリア２３０を有する。中央エリア２１０、側部エリア２２０および端部エリア２３０は、いずれも、複数の歯が配列されてなる。なお、本実施形態において、中央エリア２１０は、切断刃２００の幅方向における全幅の長さの５〜２０％の範囲であり、側部エリア２２０は、中央エリア２１０の外側の、切断刃２００の幅方向における全幅の長さの５０〜７５％の範囲であり、端部エリア２３０は、側部エリア２２０の外側の、切断刃２００の幅方向における全幅の長さの１０〜３５％の範囲である。また、本明細書において、側部エリア２２０および端部エリア２３０をあわせて「外部エリア」ともいう。
【００２８】
なお、本実施形態においては、中央エリア２１０、側部エリア２２０、端部エリア２３０を有する構成について説明するが、端部エリア２３０を有さず、中央エリア２１０と側部エリア２２０からなる構成であってもよい。その場合には、中央エリア２１０は切断刃２００の幅方向における全幅の長さの２０〜３０％の範囲であり、側部エリア２２０は、中央エリア２１０の外側の、切断刃２００の幅方向における全幅の長さの７０〜８０％の範囲である。
【００２９】
切断刃２００は、全体として略Ｖ字の形状を有する。これにより、中央エリア２１０が側部エリア２２０よりも突出して配置されるため、中央カットの初期において中央エリア２１０の歯を包装物５０に刺し込みやすく、中央カットをより容易に行うことができる。
【００３０】
（中央エリア）
図４は、中央エリア２１０を構成する歯を示す、図３における領域Ｘの部分拡大図である。切断刃２００は、中央エリア２１０の頂点を挟んで、切断刃２００の幅方向において左右対称に構成される。中央エリア２１０は、歯高が異なる複数の中央歯を含んでなり、上記複数の中央歯は、連続する３つの中央歯の歯先が同一直線上に位置しないように、入れ違いに配置されている。中央エリア２１０は、中央カットにおいて、最初に歯先が包装物５０に到達する領域である。このとき、連続する３つの中央歯の歯先が同一直線上に位置しないことにより、歯高が高い中央歯から順に包装物５０に到達するようにして、包装物５０に同時に刺し込まれる中央歯の数を少なくすることができる。これにより、包装物５０を切断するための応力は常により少ない数の中央歯にのみ分散されるため、中央エリア２１０におけるそれぞれの中央歯の歯先を包装物５０に刺し込むことがより容易となり、中央カットの初期に、より少ない応力で包装物５０の切断を開始することができる。そのため、中央エリア２１０は、中央カットの初期における使用者への抵抗感をより少なくすることができる。
【００３１】
具体的には、中央エリア２１０は、歯高が最も大きい複数の中央大歯２１２、中央大歯２１２よりも歯高が小さい複数の中央中歯２１４、および中央中歯２１４よりも歯高が小さい中央小歯２１６を有する。
【００３２】
本実施形態において、図４に示すように、中央エリア２１０を構成する中央大歯２１２、中央中歯２１４および中央小歯２１６のいずれかの中央歯について、当該中央歯の内側の斜辺の延長線と、当該中央歯の内側に隣接する中央歯の外側の斜辺の延長線と、が交差する点を交差点ＣＳとすると、中央エリア２１０を構成する中央大歯２１２、中央中歯２１４および中央小歯２１６は、すべての中央歯についての交差点ＣＳが同一の仮想直線（以下、単に「歯底線Ｌ１」ともいう。）上に位置する形状を有する。本実施形態において、中央大歯２１２、中央中歯２１４および中央小歯２１６は、当該中央歯の内側の斜辺および当該中央歯の内側に隣接する中央歯の外側の斜辺が、いずれも円弧状である。外側の斜辺と内側の斜辺とは、それぞれ異なる２つの円の一部を構成する円弧により構成されており、上記外側の斜辺および内側の斜辺の延長線は、それぞれ、外側の斜辺および内側の斜辺を構成する円弧の延長線である。ただし、当該中央歯の内側の斜辺および当該中央歯の内側に隣接する中央歯の外側の斜辺は、いずれか一方が弧状であって他方が直線状であってもよいし、いずれもが直線状であってもよい。斜辺が直線状の場合には、各直線の延長線の交点を交差点ＣＳとする。
【００３３】
また、本実施形態において、中央エリア２１０を構成する中央大歯２１２、中央中歯２１４および中央小歯２１６は、すべての中央歯について、当該中央歯の歯先と当該中央歯に隣接する中央歯の歯先とを連接する辺（以下、単に「連接辺」ともいう。）が接する、歯底線Ｌ１に平行な仮想直線との接点が、同一直線（以下、単に「歯谷線Ｌ２’」ともいう。）上に位置する形状を有する。ただし、中央大歯２１２、中央中歯２１４および中央小歯２１６は、すべての中央歯について上記接点が同一の歯谷線Ｌ２’上に位置しなくてもよく、中央エリア２１０に複数の歯谷線が設定されてもよい。
【００３４】
また、本実施形態において、すべての中央中歯２１４の歯先は同一の仮想直線（以下、単に「中歯線Ｌ３」ともいう。）上に位置し、すべての中央大歯２１２の歯先は同一の仮想直線（以下、単に「大歯線Ｌ４」ともいう。）上に位置する。直線Ｌ１、Ｌ２’、Ｌ３およびＬ４はすべて平行であり、中央小歯２１６の歯先を通り直線Ｌ３およびＬ４に平行な仮想直線を小歯線Ｌ５とすると、歯底線Ｌ１、歯谷線Ｌ２’、小歯線Ｌ５、中歯線Ｌ３および大歯線Ｌ４はこの順に並ぶ。
【００３５】
中央大歯２１２は、中央エリア２１０のうち、切断刃２００の中央でもあるＶ字の頂点となる位置に配置され（図４における中央大歯２１２ａ）、かつ、Ｖ字の頂点となる位置の両外側に複数個配置される（図４における２つの中央大歯２１２ｂおよび２１２ｃ）。中央大歯２１２は、中央カットの初期において最初に包装物５０に刺し込まれる中央歯であり、Ｖ字の頂点となる位置に配置された中央大歯２１２ａから両外側に向けて順に刺し込まれていくことにより、包装物５０の切断を開始する。これにより、より少ない応力で、中央カットの初期における切断を開始することができる。また、中央大歯２１２は、歯元の幅がより大きいため機械的強度が高い。そのため、複数の中央大歯２１２を中央エリア２１０に配置することで、中央エリア２１０の機械的強度を高めて切断刃２００の耐久性を高めることもできる。
【００３６】
中央中歯２１４は、中央エリア２１０の全体にわたって、複数個（図４では片側に４個）配置される。中央中歯２１４は、中央大歯２１２に引き続いて包装物５０に刺し込まれて、包装物５０の切断をさらに進行させる。このとき、中央中歯２１４のうちいくつかの歯（図４における２つの中央中歯２１４ａおよび中央中歯２１４ｂ）は、２つの中央大歯２１２に挟まれる位置に配置されることにより、歯元の幅が広い中央大歯２１２の幅広の谷間が切断時に包装物５０に引っ掛かることによる切断への抵抗を小さくし、包装物５０の切断をより容易にすることができる。また、中央中歯２１４のうち他のいくつかの歯（図４における２つの中央中歯２１４ｃおよび中央中歯２１４ｄ）は、中央エリア２１０のうち側部エリア２２０側の領域に配置されて、包装物５０の切断を、中央エリア２１０から側部エリア２２０へと円滑に移行させる。
【００３７】
中央小歯２１６は、中央エリア２１０のうち側部エリア２２０側の領域に１個または複数個（図４では片側に１個）配置されて、中央中歯２１４ｃおよび２１４ｄとともに、包装物５０の切断を、中央エリア２１０から側部エリア２２０へと円滑に移行させる。
【００３８】
中央エリア２１０を構成する中央大歯２１２、中央中歯２１４および中央小歯２１６は、いずれも、当該中央歯の外側の斜辺と当該中央歯の外側で隣接する中央歯の内側の斜辺とが、１つまたは複数の円弧を介して屈折点を有さずに連接されている。なお、屈折点を有さずに連接されているとは、当該歯の外側の斜辺および当該歯の外側で隣接する歯の内側の斜辺の双方と、上記円弧と、の連接点は、いずれも丸みを帯びた交点であり、傾きが不連続に変化する頂点状の折れ曲がりは形成されていないことをいう。本発明者らの知見によると、それぞれの中央歯の斜辺同士または斜辺と歯谷とが一定の角度を有するように（屈折点を有するように）連接されるときに比べ、それぞれの中央歯の斜辺が屈折点を有さずに連接されている（歯山の間に屈折点が生じない）と、破断の合流点に生じる切り欠きの進行方向がより包装物５０の幅方向に近くなり、復旧時の縦裂けはより生じにくくなる。
【００３９】
また、本実施形態において、一の中央歯の外側の斜辺と当該中央歯の外側で隣接する中央歯の内側の斜辺とを連接する上記円弧は、いずれも、その曲率半径（Ｒｃ）が０．５ｍｍ以上１．３ｍｍ以下である。上記曲率半径（Ｒｃ）が０．５ｍｍ以上であると、破断の合流点に切り欠きを生じにくくすることができ、かつ、破断の合流点に生じる切り欠きの進行方向をより包装物５０の幅方向に近くして復旧時の縦裂けをより生じにくくすることができる。上記曲率半径（Ｒｃ）が１．３ｍｍ以下であると、切断時に上記円弧に包装物５０が引っかかりにくくなり、切断をより容易に行うことができる。上記観点から、曲率半径Ｒｃの好ましい範囲は０．５ｍｍ以上１．２ｍｍ以下であり、より好ましい範囲は０．６ｍｍ以上１．２ｍｍ以下である。
【００４０】
なお、本実施形態において、中央エリア２１０は、外向歯を有さず、すべてが上向歯である。言い換えると、外向歯は、外部エリアのみ（本実施形態では側部エリア２２０のみ）に配置される。上記外向歯を有さない中央エリア２１０は、中央カットの切断初期に包装物５０が外向歯に引っ掛ることによる切断の中断を生じにくくすることができる。
【００４１】
（側部エリア）
図５は、側部エリア２２０を構成する側部歯を示す、図３における領域Ｙの部分拡大図である。側部エリア２２０は、歯高が同一である複数の側部歯２２２を含んでなり、本実施形態においては、上記複数の側部歯２２２は、いずれも、歯先が外側を向いた外向歯である。側部エリア２２０は、中央カットにおいては、中央エリア２１０において開始された包装物５０の切断を包装物５０の端部方向に進行させる領域であり、端カットにおいては、端部エリア２３０において開始された包装物５０の切断を包装物５０の中央方向に進行させる領域である。側部エリア２２０は、構成する複数の側部歯２２２がいずれも外向歯であるため、特に端カット時において包装物５０に側部歯２２２を刺し込みやすく、包装物５０が側部歯に対して横滑りしてしまうことによる斜め切れが生じにくい。
【００４２】
本明細書において、図５に示すように、側部エリア２２０を構成する側部歯２２２（外向歯）の一つをＴ１とし、側部歯Ｔ１の外側に隣接して配置された隣接歯をＴ２とし、側部歯Ｔ１の内側に隣接して配置された隣接歯をＴ３とする。また、図５に示すように、側部歯Ｔ１の外側の斜辺の延長線と隣接歯Ｔ２の内側の斜辺の延長線とが交差する点を交差点Ｓ１とし、側部歯Ｔ１の内側の斜辺の延長線と隣接歯Ｔ３の外側の斜辺の延長線とが交差する点を交差点Ｓ２とする。
【００４３】
また、交差点Ｓ１と交差点Ｓ２とを結ぶ仮想直線（本実施形態では、歯底線Ｌ１と同一の直線である）に対して側部歯Ｔ１の歯先から垂ろした垂線が上記仮想直線（歯底線Ｌ１）と交差する点を交差点Ｓ３とする。また、Ｓ１とＳ３との間の距離をＤ１とし、Ｓ１とＳ２との間の距離をＤ２とする。
【００４４】
このとき、本実施形態において、Ｄ１とＤ２との比率は、以下の式１を満たす。
Ｄ１／Ｄ２ ＝０．２０以上０．４０以下      ・・・（式１）
【００４５】
Ｄ１／Ｄ２が０．４０以下であると、側部歯Ｔ１（外向歯）の歯先がより外側を向くため、端カット時において、より少ない応力で包装物５０に側部歯Ｔ１を刺し込むことができ、包装物５０の切断を容易に進行させることができる。そのため、端カット時に側部歯Ｔ１が包装物５０に対して十分に刺し込まれず、包装物５０が側部歯に対して横滑りしてしまうことによる斜め切れの発生を抑制することができる。Ｄ１／Ｄ２が０．２０以上であると、側部歯Ｔ１（外向歯）の歯先が外側を向きすぎないため、中央カット時において、中央エリア２１０において開始された包装物５０の切断の進行が側部歯Ｔ１によって阻害されにくく、上記切断が端部方向へとより進行しやすくなる。また、これにより、端カット時における斜め切れの発生を抑制することができる。端カットと中央カットのどちらからでもよく切れるより好ましい範囲は、Ｄ１／Ｄ２＝０．２５以上０．３８以下であり、さらに好ましい範囲は、Ｄ１／Ｄ２＝０．２６以上０．３７以下である。
【００４６】
なお、本明細書において、中央歯、側部歯および端部歯のすべてについて、「外向歯」とは、当該歯をＴ１として上記方法で算出されたＤ１／Ｄ２が０．５０未満である歯を意味し、「上向歯」とは、Ｄ１／Ｄ２が０．５０以上（好ましくは０．７５以下）である歯を意味する。
【００４７】
側部エリア２２０を構成する複数の側部歯２２２（外向歯）は、いずれも、当該側部歯（外向歯）の外側の斜辺と当該側部歯の外側で隣接する側部歯（外向歯）の内側の斜辺とが、１つまたは複数の円弧を介して屈折点を有さずに連接されている。これにより、包装物５０の切断が斜辺に沿って発生し、巻回体方向に進行しにくくなることで、切り欠き（亀裂）の進行方向がより包装物５０の幅方向に近くなり、復旧時に券回体方向への縦裂けが生じにくくなり、巻き戻り時の復旧はより容易になる。
【００４８】
本実施形態において、側部歯Ｔ１の外側の斜辺と隣接歯Ｔ２の内側の斜辺とを連接する上記円弧は、いずれの側部歯についても、その曲率半径（Ｒ１）が０．３ｍｍ以上１．３ｍｍ以下である。上記曲率半径（Ｒ１）が０．３ｍｍ以上であると、破断の合流点に縦裂けを生じにくくして、巻き戻り時の復旧をより容易に行うことができる。上記曲率半径（Ｒ１）が１．３ｍｍ以下であると、上記円弧に包装物５０が引っかかりにくくなり、中央カットおよび端カットのいずれにおいても、切断をより容易に行うことができる。上記観点から、曲率半径Ｒ１の好ましい範囲は０．３５ｍｍ以上１．２ｍｍ以下であり、より好ましい範囲は０．３５ｍｍ以上１．０ｍｍ以下である。
【００４９】
なお、側部歯Ｔ１の外側の斜辺の曲率半径Ｒは、１．０ｍｍ以上１０．０ｍｍ以下であることが好ましく、１．５ｍｍ以上８．０ｍｍ以下であることがより好ましい。また、隣接歯Ｔ２の内側の斜辺の曲率半径Ｒは、１．０ｍｍ以上７．０ｍｍ以下であることが好ましく、１．５ｍｍ以上６．０ｍｍ以下であることがより好ましい。各曲率半径を上記の値にすることで、連接辺の底部近辺が切断時に包装物５０に引っ掛かることによる切断への抵抗を小さくして包装物５０の切断をより容易にし、かつ、破断の合流点に縦裂けを生じにくくして、巻き戻り時の復旧をより容易に行うことができる。
【００５０】
なお、本実施形態において、側部歯Ｔ１の歯先と隣接歯Ｔ２の歯先とを結ぶ連接辺に接する、歯底線Ｌ１に平行な仮想直線は、歯谷線Ｌ２’と平行な、歯谷線Ｌ２’とは異なる直線（以下、単に「歯谷線Ｌ２」ともいう。）である。本実施形態において、歯谷線Ｌ２は、歯谷線Ｌ２’と小歯線Ｌ５との間に位置する（図４参照）。また、側部歯２２２（外向歯）の歯先を結ぶ仮想直線は、中歯線Ｌ３と同一の直線である。なお、側部歯の歯先を結ぶ仮想直線の位置は特に限定されず、小歯線Ｌ５と同一の直線、または小歯線Ｌ５より高く大歯線Ｌ４より低い位置の直線、となればよい。なお、図５では、すべての側部歯の歯先が中歯線Ｌ３上に位置しているが、すべての側部歯の歯先が同一の仮想直線（図５では中歯線Ｌ３）上に位置しなくてもよい。言い換えると、側部エリア２２０は、歯底線Ｌ１から側部歯の歯先までの距離が異なる複数の側部歯を有してもよい。
【００５１】
（端部エリア）
図６は、端部エリア２３０を構成する歯を示す、図３における領域Ｚの部分拡大図である。端部エリア２３０は、歯高が異なる複数の端部歯を含んでなり、本実施形態においては、上記複数の端部歯は、いずれも上向歯である。また、上記複数の端部歯は、連続する３つの端部歯の歯先が同一直線上に位置しないように、入れ違いに配置されている。端部エリア２３０は、端カットにおいて、最初に歯先が包装物５０に到達する領域である。このとき、連続する３つの端部歯の歯先が同一直線上に位置しないことにより、歯高が高い端部歯から順に包装物５０に到達するようにして、同時に包装物５０に刺し込まれる端部歯の数を少なくすることができる。これにより、包装物５０を切断するための応力は常により少ない数の端部歯にのみ分散されるため、端部エリア２３０における端部歯の歯先を包装物５０に刺し込むことがより容易となり、端カットの初期に、より少ない応力で包装物５０の切断を開始することができる。そのため、端部エリア２３０は、端カットの初期における使用者への抵抗感をより少なくすることができる。
【００５２】
一方で、端部エリア２３０は、中央カットにおいて、包装物５０の切断が最後に行われる領域である。このときも、端部エリア２３０は、包装容器１０を下向きに回転させたときに、それぞれの端部歯を順次包装物５０に刺し込ませて、中央エリア２１０から側部エリア２２０へと進行してきた包装物５０の切断を円滑に進行させることができる。
【００５３】
具体的には、端部エリア２３０は、歯高が大きい複数の端大歯２３２、および端大歯２３２よりも歯高が小さい複数の端中歯２３４を有する。
【００５４】
本実施形態では、端大歯２３２は、端部エリア２３０に複数個（図６における２つの端大歯２３２ａおよび２３２ｂ）配置される。端大歯２３２は、端カットの初期において最初に包装物５０に刺し込まれる歯であり、切断刃２００の端部となる位置に配置された端大歯２３２から中央部側に向けて順に刺し込まれていくことにより、包装物５０の切断を開始する。これにより、より少ない応力で、端カットの初期における切断を開始することができる。また、端大歯２３２は、歯元の幅がより大きいため機械的強度が高い。そのため、複数の端大歯２３２を端部エリア２３０に配置することで、端部エリア２３０の機械的強度を高めて切断刃２００の耐久性を高めることもできる。
【００５５】
端中歯２３４は、端大歯２３２に引き続いて包装物５０に刺し込まれて、包装物５０の切断をさらに進行させる。端中歯２３４のうちいくつかの端中歯（図６における端中歯２３４ａ）は、２つの端大歯２３２に挟まれる位置に配置されることにより、歯元の幅が広い端大歯２３２の幅広の谷間が切断時に包装物５０に引っ掛かることによる切断への抵抗を小さくし、包装物５０の切断をより容易にすることができる。また、端中歯２３４のうち他の端中歯（図６における端中歯２３４ｂ）は、端部エリア２３０のうち側部エリア２２０側の領域に配置されて、包装物５０の切断を、端部エリア２３０から側部エリア２２０へと円滑に移行させる。
【００５６】
端部エリア２３０を構成する端大歯２３２および端中歯２３４は、いずれも、当該端部歯の外側の斜辺と当該端部歯の外側で隣接する端部歯の内側の斜辺とが、１つまたは複数の円弧を介して屈折点を有さずに連接されている。上述したように、それぞれの端部歯の斜辺が円弧を介して連接されていると、破断の合流点に縦裂けを生じにくくして、巻き戻り時の復旧をより容易に行うことができる。
【００５７】
本実施形態において、端部歯の外側の斜辺の曲率半径Ｒは、いずれも、１．０ｍｍ以上１０．０ｍｍ以下であることが好ましく、１．５ｍｍ以上８．０ｍｍ以下であることがより好ましい。また、上記端部歯に隣接する歯の内側の斜辺の曲率半径Ｒは、１．０ｍｍ以上７．０ｍｍ以下であることが好ましく、１．５ｍｍ以上６．０ｍｍ以下であることがより好ましい。各曲率半径を上記の値にすることで、連接辺の底部近辺が切断時に包装物５０に引っ掛かることによる切断への抵抗を小さくして包装物５０の切断をより容易にし、フィルム破断の合流点に生じる切り欠きの進行方向を包装物５０の幅方向により近くして、巻き戻ってしまった包装物を復旧させる時（復旧時）の縦裂けを生じ難くさせることができる。
【００５８】
また、本実施形態において、一の端部歯の外側の斜辺と当該端部歯の外側で隣接する端部歯の内側の斜辺とを連接する上記円弧は、いずれも、その曲率半径（Ｒ２）が０．３ｍｍ以上１．３ｍｍ以下である。上記曲率半径（Ｒ２）が０．３ｍｍ以上であると、破断の合流点に切り欠きを生じにくくすることができる。上記曲率半径（Ｒ２）が１．３ｍｍ以下であると、端部カットの初期や中央カットの最後の切断時に、上記円弧に包装物５０が引っかかりにくくなり、包装物５０の切断をより容易に行うことができる。上記観点から、曲率半径Ｒ２の好ましい範囲は０．４ｍｍ以上１．２ｍｍ以下であり、より好ましい範囲は０．５ｍｍ以上１．２ｍｍ以下である。
【００５９】
なお、本実施形態において、図６に示すように、端部エリア２３０を構成する端大歯２３２および端中歯２３４のいずれかの端部歯について、当該端部歯の内側の斜辺の延長線と、当該端部歯の内側に隣接する端部歯の外側の斜辺の延長線と、が交差する点を交差点ＰＳとすると、端部エリア２３０を構成する端大歯２３２および端中歯２３４は、すべての端部歯についての交差点ＰＳが歯底線Ｌ１上に位置する形状を有する。また、端部エリア２３０を構成する端大歯２３２および端中歯２３４のすべての端部歯について、当該端部歯の歯先と当該端部歯の外側で隣接する端部歯の歯先とを結ぶ連接辺は、歯谷線Ｌ２と平行な、歯谷線Ｌ２とは異なる直線（以下、単に「歯谷線Ｌ２’’」ともいう。）に接する形状を有する。ただし、端大歯２３２および端中歯２３４は、すべての歯について上記接点が同一の歯谷線Ｌ２’’上に位置しなくてもよく、端部エリア２３０に複数の歯谷線が設定されてもよい。本実施形態において、歯谷線Ｌ２’’は、歯谷線Ｌ２と歯底線Ｌ１との間に位置する（図６参照）。また、端大歯２３２の歯先を結ぶ仮想直線は、大歯線Ｌ４と同一の直線であり、端中歯２３４の歯先を結ぶ仮想直線は、中歯線Ｌ３と同一の直線である。なお、端大歯２３２の歯先を結ぶ仮想直線の位置は特に限定されず、中歯線Ｌ３より高い位置の直線となればよい。また、端中歯２３４の歯先を結ぶ仮想直線の位置も特に限定されず、中歯線Ｌ３と同一の直線、または小歯線Ｌ５より高く大歯線Ｌ４より低い位置の直線、となればよい。
【００６０】
［第２の実施形態］
図７は、本発明の第２の実施形態に関する切断刃３００の模式的な構成を示す正面図である。切断刃３００は、第１の実施形態における切断刃２００と同様に、中央エリア３１０、中央エリア３１０の外側に配置された一対の側部エリア３２０、および側部エリア３２０の外側で切断刃３００の端部に配置された一対の端部エリア３３０を有する。本実施形態に関する切断刃３００は、側部エリア３２０および端部エリア３３０を構成する歯の形状のみが第１の実施形態における切断刃３００とは異なる。そのため、以下、第１の実施形態における切断刃３００との共通点については説明を省略する。
【００６１】
後述するように、本実施形態において、切断刃３００は、中央エリア３１０、側部エリア３２０（側部接続領域３２０ａおよび側部メイン領域３２０ｂ）、ならびに端部エリア３３０（端部接続領域３３０ａおよび端部メイン領域３３０ｂ）を有する。中央エリア３１０は、切断刃３００の幅方向における全幅の長さの５〜２０％の範囲であり、側部接続領域３２０ａは、中央エリア３１０の外側の、切断刃３００の幅方向における全幅の長さの１０〜２０％の範囲であり、側部メイン領域３２０ｂは、側部接続領域３２０ａの外側の、切断刃２００の幅方向における全幅の長さの３５〜５０％の範囲であり、端部接続領域３３０ａは、側部メイン領域３２０ｂの外側の、切断刃３００の幅方向における全幅の長さの５〜１０％の範囲であり、端部メイン領域３３０ｂは、端部接続領域３３０ａの外側の、切断刃３００の幅方向における全幅の長さの１０〜２５％の範囲である。
【００６２】
なお、本実施形態においては、中央エリア３１０、側部エリア３２０、端部エリア３３０を有する構成について説明するが、端部エリア３３０を有さず、中央エリア３１０と側部エリア３２０からなる構成であってもよい。その場合には、中央エリア３１０は切断刃３００の幅方向における全幅の長さの２０〜３０％の範囲であり、側部エリア３２０は、中央エリア３１０の外側の、切断刃３００の幅方向における全幅の長さの７０〜８０％の範囲である。
【００６３】
（中央エリア）
中央エリア３１０は、歯高が最も大きい複数の中央大歯３１２、中央大歯３１２よりも歯高が小さい複数の中央中歯３１４、および中央中歯３１４よりも歯高が小さい中央小歯３１６を有する。これらの中央歯は、第１の実施形態と同様なので、詳しい説明は省略する。
【００６４】
（側部エリア）
図７に示すように、本実施形態において、側部エリア３２０は、中央エリア３１０との接続領域である側部接続領域３２０ａと、複数の外向歯を有する側部メイン領域３２０ｂと、を有する。
【００６５】
図８は、中央エリア３１０と側部エリア３２０（側部接続領域３２０ａ）との境界付近を構成する歯を示す、図７における領域Ｓの部分拡大図である。図９は、側部接続領域３２０ａと側部メイン領域３２０ｂとの境界付近を構成する歯を示す、図７における領域Ｔの部分拡大図である。
【００６６】
側部接続領域３２０ａは、歯高が同一である複数の側部歯３２２ａを含んでなり、上記複数の側部歯３２２ａは、いずれも上向歯である。複数の上向歯からなる側部接続領域３２０ａは、同様に上向歯からなる中央エリア３１０との間で包装物５０の切断を進行させやすく、かつ、歯高が同一である側部メイン領域３２０ｂとの間でも包装物５０の切断を進行させやすい。そのため、側部接続領域３２０ａは、中央カットによる包装物５０の切断を中央エリア３１０から側部メイン領域３２０ｂへと進行させやすくし、かつ、端カットによる包装物５０の切断を側部メイン領域３２０ｂから中央エリア３１０へと進行させやすくする。
【００６７】
側部接続領域３２０ａを構成する複数の側部歯３２２ａは、いずれも、当該側部歯の外側の斜辺と当該側部歯の外側で隣接する側部歯の内側の斜辺とが、１つまたは複数の円弧を介して屈折点を有さずに連接されている。これにより、包装物５０の切断時に切断刃が包装物５０に引っ掛かりにくくなり、縦裂けが生じにくくなるため、巻き戻り時の復旧はより容易になる。
【００６８】
また、本実施形態においても、側部歯３２２ａの外側の斜辺と当該側部歯の外側で隣接する側部歯の内側の斜辺とを連接する上記円弧は、いずれの側部歯（外向歯および上向歯の両方）についても、その曲率半径（Ｒ１’）が０．３ｍｍ以上１．３ｍｍ以下である。上記曲率半径（Ｒ１’）が０．３ｍｍ以上であると、破断の合流点に縦裂けを生じにくくして、巻き戻り時の復旧をより容易に行うことができる。上記曲率半径（Ｒ１’）が１．３ｍｍ以下であると、上記円弧に包装物５０が引っかかりにくくなり、中央カットおよび端カットのいずれにおいても、切断をより容易に行うことができる。上記観点から、曲率半径Ｒ１’の好ましい範囲は０．３５ｍｍ以上１．２ｍｍ以下であり、より好ましい範囲は０．３５ｍｍ以上１．０ｍｍ以下である。
【００６９】
側部メイン領域３２０ｂは、歯高が同一である複数の側部歯３２２ｂを含んでなり、上記複数の側部歯は、いずれも外向歯である。複数の外向歯を有する側部メイン領域３２０ｂは、第１の実施形態における側部エリア２２０と同様に、特には端カット時において包装物５０に側部歯を刺し込みやすく、包装物５０が側部歯に対して横滑りしてしまうことによる斜め切れが生じにくい。
【００７０】
なお、側部メイン領域３２０ｂが有する複数の側部歯３２２ｂのうち、最も側部接続領域３２０ａ側に配置された側部歯（側部接続歯３２２ｃ）は、歯の幅が、側部接続領域３２０ａが有する側部歯３２２ａおよび側部メイン領域３２０ｂが有する他の側部歯３２２ｂよりも小さい。このような側部接続歯３２２ｃは、主には上向歯からなる側部接続領域３２０ａと外向歯からなる側部メイン領域３２０ｂとの間の切断を橋渡しする役割を有し、当該領域における包装物の横滑りを抑制できる。
【００７１】
本実施形態においても、図９に示すように、側部メイン領域３２０ｂに配置された側部歯（外向歯である側部歯３２２ｂまたは側部接続歯３２２ｃ）の一つをＴ１とし、側部歯Ｔ１の外側に隣接されて配置された隣接歯をＴ２とし、側部歯Ｔ１の内側に隣接されて配置された隣接歯をＴ３とする。また、図９に示すように、側部歯Ｔ１の外側の斜辺の延長線と隣接歯Ｔ２の内側の斜辺の延長線とが交差する点を交差点Ｓ１とし、側部歯Ｔ１の内側の斜辺の延長線と隣接歯Ｔ３の外側の斜辺の延長線とが交差する点を交差点Ｓ２とする。
【００７２】
また、本実施形態においてに、交差点Ｓ１と交差点Ｓ２とを結ぶ仮想直線（本実施形態においても、歯底線Ｌ１と同一の直線である）に対して側部歯Ｔ１の歯先から垂ろした垂線が、上記仮想直線（歯底線Ｌ１）と交差する点を交差点Ｓ３とする。また、Ｓ１とＳ３との間の距離をＤ１とし、Ｓ１とＳ２との間の距離をＤ２とする。このとき、側部エリア３２０において、Ｄ１とＤ２との比率は、以下の式１を満たす。
Ｄ１／Ｄ２ ＝０．２０以上０．４０以下    ・・・（式１）
【００７３】
Ｄ１／Ｄ２が０．４０以下であると、側部歯Ｔ１（外向歯）の歯先がより外側を向くため、端カット時において、より少ない応力で包装物５０に側部歯Ｔ１を刺し込むことができ、包装物５０の切断を容易に進行させることができる。そのため、端カット時に側部歯Ｔ１が包装物５０に対して十分に刺し込まれず、包装物５０が側部歯に対して横滑りしてしまうことによる斜め切れの発生を抑制することができる。Ｄ１／Ｄ２が０．２０以上であると、側部歯Ｔ１（外向歯）の歯先が外側を向きすぎないため、中央カット時において、中央エリア２１０において開始された包装物５０の切断の進行が側部歯Ｔ１によって阻害されにくく、上記切断が端部方向へとより進行しやすくなる。また、これにより、端カット時における斜め切れの発生を抑制することができる。端カットと中央カットのどちらからでもよく切れるより好ましい範囲は、Ｄ１／Ｄ２＝０．２５以上０．３８以下であり、さらに好ましい範囲は、Ｄ１／Ｄ２＝０．２６以上０．３７以下である。
【００７４】
本実施形態においても、側部メイン領域３２０ｂを構成する複数の側部歯（外向歯）は、いずれも、当該側部歯（外向歯）の外側の斜辺と当該側部歯の外側で隣接する側部歯（外向歯）の内側の斜辺とが、１つまたは複数の円弧を介して屈折点を有さずに連接されている。これにより、包装物５０の切断時に切断刃が包装物５０に引っ掛かりにくくなり、縦裂けが生じにくくなるため、巻き戻り時の復旧はより容易になる。
【００７５】
また、本実施形態においても、側部歯Ｔ１の外側の斜辺と隣接歯Ｔ２の内側の斜辺とを連接する上記円弧は、いずれの側部歯についても、その曲率半径（Ｒ１）が０．３ｍｍ以上１．３ｍｍ以下である。上記曲率半径（Ｒ１）が０．３ｍｍ以上であると、破断の合流点に縦裂けを生じにくくして、巻き戻り時の復旧をより容易に行うことができる。上記曲率半径（Ｒ１）が１．３ｍｍ以下であると、上記円弧に包装物５０が引っかかりにくくなり、中央カットおよび端カットのいずれにおいても、切断をより容易に行うことができる。上記観点から、曲率半径Ｒ１の好ましい範囲は０．３５ｍｍ以上１．２ｍｍ以下であり、より好ましい範囲は０．３５ｍｍ以上１．０ｍｍ以下である。
【００７６】
また、本実施形態においても、側部歯Ｔ１の外側の斜辺の曲率半径Ｒは、１．０ｍｍ以上１０．０ｍｍ以下であることが好ましく、１．５ｍｍ以上８．０ｍｍ以下であることがより好ましい。また、隣接歯Ｔ２の内側の斜辺の曲率半径Ｒは、１．０ｍｍ以上７．０ｍｍ以下であることが好ましく、１．５ｍｍ以上６．０ｍｍ以下であることがより好ましい。各曲率半径を上記の値にすることで、連接辺の底部近辺が切断時に包装物５０に引っ掛かることによる切断への抵抗を小さくして包装物５０の切断をより容易にし、かつ、破断の合流点に縦裂けを生じにくくして、巻き戻り時の復旧をより容易に行うことができる。
【００７７】
なお、本実施形態において、側部歯Ｔ１の歯先と隣接歯Ｔ２の歯先とを結ぶ連接辺に接する、歯底線Ｌ１に平行な仮想直線は、歯谷線Ｌ２’と平行な、歯谷線Ｌ２’とは異なる直線（歯谷線Ｌ２ａおよび歯谷線Ｌ２ｂ）である。本実施形態においても、歯谷線Ｌ２ａおよび歯谷線Ｌ２ｂは、歯谷線Ｌ２’と小歯線Ｌ５との間に位置する。また、側部接続領域３２０ａを構成する複数の側部歯を側部歯Ｔ１および隣接歯Ｔ２としたときの歯谷線Ｌ２ａと、側部メイン領域３２０ｂを構成する複数の側部歯を側部歯Ｔ１および隣接歯Ｔ２としたときの歯谷線Ｌ２ｂと、は、互いに平行な、異なる直線である。本実施形態において、歯谷線Ｌ２ｂは、歯谷線Ｌ２ａと歯谷線Ｌ２’との間に位置する。一方で、側部接続領域３２０ａを構成する複数の側部歯３２２ａについて、当該側部歯３２２ａの内側の斜辺の延長線と、当該側部歯３２２ａの内側に隣接する側部歯の外側の斜辺の延長線と、が交差する交差点は、歯底線Ｌ１と平行な、歯底線Ｌ１とは異なる直線（歯底線Ｌ１’）上に位置する。本実施形態において、歯底線Ｌ１’は、歯谷線Ｌ２’と歯谷線Ｌ２との間に位置する。また、側部歯３２２ａ、側部歯３２２ｂおよび側部接続歯３２２ｃの歯先を結ぶ仮想直線は、中歯線Ｌ３と同一の直線である。なお、これらの側部歯の歯先を結ぶ仮想直線の位置は特に限定されず、小歯線Ｌ５と同一の直線、または小歯線Ｌ５より高く大歯線Ｌ４より低い位置の直線、となればよい。なお、図８および図９では、すべての側部歯の歯先が中歯線Ｌ３上に位置しているが、すべての側部歯の歯先が同一の仮想直線（図８および図９では中歯線Ｌ３）上に位置しなくてもよい。言い換えると、側部エリア３２０は、歯底線Ｌ１から側部歯の歯先までの距離が異なる複数の側部歯を有してもよい。
【００７８】
（端部エリア）
図７に示すように、本実施形態において、端部エリア３３０は、側部エリア３２０（側部メイン領域３２０ｂ）との接続領域である端部接続領域３３０ａと、複数の外向歯を有する端部メイン領域３３０ｂと、を有する。
【００７９】
図１０は、端部接続領域３３０ａおよび端部メイン領域３３０ｂを構成する歯を示す、図７における領域Ｕの部分拡大図である。
【００８０】
端部接続領域３３０ａは、歯高が異なる複数の端部歯を含んでなり、上記複数の端部歯はいずれも外向歯である。また、上記複数の端部歯は、連続する３つの端部歯の歯先が同一直線上に位置しないように配置される。具体的には、端部接続領域３３０ａは、側部メイン領域が有する側部歯３２２ｂと歯高が同一である複数の接続中歯３３６、および接続中歯３３６と端部メイン領域３３０ｂが有する端大歯３３２との間の歯高である複数の接続大歯３３８を有する。そして、接続中歯３３６と接続大歯３３８は交互に配置されている。また、接続中歯３３６の歯先を結ぶ仮想直線は、中歯線Ｌ３と同一の直線であり、接続大歯３３８の歯先を結ぶ仮想直線Ｌ６は、中歯線Ｌ３より高く大歯線Ｌ４より低い位置の直線である。
【００８１】
端部接続領域３３０ａは、上記歯高が異なる複数の端部歯を有することにより、包装物５０の切断を、歯高がより低い側部メイン領域３２０ｂから歯高がより高い端部メイン領域３３０ｂへと（あるいは端部メイン領域３３０ｂから側部メイン領域３２０ｂへと）円滑に移行させる。
【００８２】
端部メイン領域３３０ｂは、第１の実施形態と同様に、複数の端大歯３３２および複数の端中歯３３４からなる。ただし、本実施形態において、端大歯３３２および端中歯３３４はいずれも外向歯である。このような端部エリア３３０は、端カットに端部歯を刺し込みやすく、包装物５０が端部歯に対して横滑りしてしまうことによる斜め切れが生じにくい。
【００８３】
また、図１０に示すように、端部メイン領域３３０ｂが有する一の外向歯である端部歯（図１０では端中歯３３４）をＴ４とし、端部歯Ｔ４の外側に隣接されて配置された隣接歯をＴ５（図１０では端大歯３３２ｂ）とし、端部歯Ｔ４の内側に隣接されて配置された隣接歯をＴ６（図１０では端大歯３３２ａ）とする。また、図１０に示すように、端部歯Ｔ４の外側の斜辺の延長線と隣接歯Ｔ５の内側の斜辺の延長線とが交差する点を交差点Ｓ４とし、端部歯Ｔ４の内側の斜辺の延長線と隣接歯Ｔ６の外側の斜辺の延長線とが交差する点を交差点Ｓ５とする。
【００８４】
このとき、交差点Ｓ４と交差点Ｓ５とを結ぶ仮想直線（本実施形態では、歯底線Ｌ１と同一の直線である）に対して端部歯Ｔ４の歯先から垂ろした垂線が、上記仮想直線（歯底線Ｌ１）と交差する点を交差点Ｓ６とする。また、Ｓ４とＳ６との間の距離をＤ３とし、Ｓ４とＳ５との間の距離をＤ４とする。このとき、Ｄ３とＤ４との比率は、以下の式２を満たす。
Ｄ３／Ｄ４ ＝０．３５以上０．５０未満    ・・・（式２）
【００８５】
Ｄ３／Ｄ４が０．５０未満であると、端部エリア３３０が有する外向歯の歯先が外側を向くため、端カット時において、より少ない応力で包装物５０に端部歯を刺し込むことができ、包装物５０の切断を容易に進行させることができる。そのため、端部歯が包装物５０に対して十分に刺し込まれず、包装物５０が端部歯に対して横滑りしてしまうことによる斜め切れの発生を抑制することができる。Ｄ３／Ｄ４が０．３５以上であると、端部エリア３３０が有する外向歯の歯先が外側を向きすぎないため、中央カット時において、中央エリア３１０において開始された包装物５０の切断が端部エリア３３０の外向歯によって阻害されにくく、上記切断を包装物５０の端部までより円滑に進行させやすくなる。端カットと中央カットのどちらからでもよく切れるより好ましい範囲は、Ｄ３／Ｄ４＝０．３７以上０．４９５以下であり、さらに好ましい範囲は、Ｄ３／Ｄ４＝０．４０以上０．４９以下である。また、端部メイン領域３３０ｂが有する外向歯に関するＤ３／Ｄ４の値は、側部メイン領域３２０ｂが有する外向歯に関するＤ１／Ｄ２の値より大きいことが好ましい。
【００８６】
このように、端部メイン領域３３０ｂが有する外向歯のＤ３／Ｄ４を、側部メイン領域３２０ｂが有する外向歯のＤ１／Ｄ２より大きくすることで、端カット時において、包装物５０に端部歯をより刺し込みやすくし、端カット時における斜め切れの発生をより効果的に抑制することができる。
【００８７】
なお、本実施形態においても、端部歯Ｔ４と隣接歯Ｔ５とを連接する連接辺が接する、歯底線Ｌ１と平行な仮想直線は、歯谷線Ｌ２’’と同一の直線である。
【００８８】
なお、端部接続領域３３０ａが有する接続中歯３３６または接続大歯３３８を端部歯Ｔ４として同様に規定したときのＤ３／Ｄ４も、端部メイン領域３３０ｂが有する端大歯３３２または端中歯３３４を端部歯Ｔ４として規定したときのＤ３／Ｄ４と同じ範囲内にあることが好ましい。ただし、このとき、端部接続領域３３０ａのうち側部メイン領域３２０ｂ側に配置された接続中歯３３６ａおよび接続大歯３３８ａのＤ３／Ｄ４に対して、端部接続領域３３０ａのうち端部メイン領域３３０ｂ側に配置された接続中歯３３６ｂおよび接続大歯３３８ｂのＤ３／Ｄ４をより大きくする（端部メイン領域３３０ｂが有する外向歯のＤ３／Ｄ４により近づける）ことで、包装物５０の切断を、側部メイン領域３２０ｂから端部エリア３３０へと（あるいは端部エリア３３０から側部メイン領域３２０ｂへと）円滑に移行させることができる。
【００８９】
また、このとき、側部メイン領域３２０ｂにおける外向歯のＤ１／Ｄ２、端部接続領域３３０ａにおける外向歯のＤ３／Ｄ４、および端部メイン領域３３０ｂにおける外向歯のＤ３／Ｄ４は、この順に大きくなっていくことが好ましい。
【００９０】
端部エリア３３０（端部接続領域３３０ａおよび端部メイン領域３３０ｂ）を構成する端部歯は、いずれも、当該端部歯の外側の斜辺と当該端部歯の外側で隣接する端部歯の内側の斜辺とが、１つまたは複数の円弧を介して屈折点を有さずに連接されている。上述したように、それぞれの端部歯の斜辺が円弧を介して連接されていると、破断の合流点に縦裂けを生じにくくして、巻き戻り時の復旧をより容易に行うことができる。
【００９１】
本実施形態においても、一の端部歯の外側の斜辺と当該端部歯の外側で隣接する端部歯の内側の斜辺とを連接する上記円弧は、いずれも、その曲率半径（Ｒ２）が０．３ｍｍ以上１．３ｍｍ以下である。上記曲率半径（Ｒ２）が０．３ｍｍ以上であると、破断の合流点に切り欠きを生じにくくすることができる。上記曲率半径（Ｒ２）が１．３ｍｍ以下であると、端部カットの初期や中央カットの最後の切断時に、上記円弧に包装物５０が引っかかりにくくなり、切断をより容易に行うことができる。上記観点から、曲率半径Ｒ２の好ましい範囲は０．４ｍｍ以上１．２ｍｍ以下であり、より好ましい範囲は０．５ｍｍ以上１．２ｍｍ以下である。
【００９２】
なお、いずれの端部歯を端部歯Ｔ４としたときも、端部歯Ｔ４の外側の斜辺の曲率半径Ｒは、１．０ｍｍ以上１０．０ｍｍ以下であることが好ましく、１．５ｍｍ以上８．０ｍｍ以下であることがより好ましい。隣接歯Ｔ５の内側の斜辺の曲率半径Ｒは、１．０ｍｍ以上７．０ｍｍ以下であることが好ましく、１．５ｍｍ以上６．０ｍｍ以下であることがより好ましい。端部歯Ｔ４の外側の斜辺が円弧により連接されているとき、上記連接する円弧の曲率半径Ｒは、端部歯Ｔ４の外側の斜辺の曲率半径Ｒおよび隣接歯Ｔ５の内側の斜辺の曲率半径Ｒのいずれよりも小さい値であり、かつ、０．２ｍｍ以上２．０ｍｍ以下であることが好ましく、０．４ｍｍ以上１．２ｍｍ以下であることがより好ましい。各曲率半径を上記の値にすることで、連接辺の底部近辺が切断時に包装物５０に引っ掛かることによる切断への抵抗を小さくして包装物５０の切断をより容易にし、フィルム破断の合流点に生じる切り欠きの進行方向を包装物５０の幅方向により近くして、巻き戻ってしまった包装物を復旧させる時（復旧時）の縦裂けを生じ難くさせることができる。
【００９３】
［第３の実施形態］
図１１は、本発明の第３の実施形態に関する包装容器２０の構成を模式的に示す、蓋部を閉じたときの斜視図である。
【００９４】
本実施形態に関する包装容器は、中央エリア４１０、側部エリア４２０および端部エリア４３０が直線状の切断刃４００を有する点で第１の実施形態または第２の実施形態に関する包装容器とは異なる。なお、中央エリア４１０、側部エリア４２０および端部エリア４３０のそれぞれが有する歯の形状は、第１の実施形態または第２の実施形態と同様とし得る。
【００９５】
本実施形態において、掩蓋片１２４の先端１２５および切断刃４００は、直線状の形状を有する。具体的には、切断刃４００は、切断刃４００の中央から両端側に向けて配置される複数の歯を有する。そして、上記複数の歯は、切断刃４００に設定される歯底線Ｌ１、歯谷線Ｌ２、小歯線Ｌ５、中歯線Ｌ３および大歯線Ｌ４が、いずれも直線となるように、配置される。
【００９６】
本実施形態に関する包装容器２０によれば、端カット時に、カットを開始する側の端部とは反対側の側部エリアに配置された外向歯が、切断の進行を阻害しにくいため、端カットをより容易に行うことができる。
【００９７】
［第４の実施形態］
図１２は、本発明の第４の実施形態に関する包装容器３０の構成を模式的に示す、蓋部を閉じたときの斜視図である。
【００９８】
本実施形態に関する包装容器は、中央エリア５１０、側部エリア５２０および端部エリア５３０がいずれも屈曲している切断刃５００を有する点で第１の実施形態または第２の実施形態に関する包装容器とは異なる。なお、中央エリア５１０、側部エリア５２０および端部エリア５３０のそれぞれが有する歯の形状は、第１の実施形態または第２の実施形態と同様とし得る。
【００９９】
本実施形態において、掩蓋片１２４の先端１２５および切断刃５００は、略Ｍ字状の形状を有する。具体的には、切断刃５００は、略Ｍ字の頂点でもある切断刃５００の中央から両端側に向けて配置される複数の歯を有する。そして、上記複数の歯は、上述した歯底線Ｌ１、歯谷線Ｌ２、小歯線Ｌ５、中歯線Ｌ３および大歯線Ｌ４などが、切断刃５００を包装容器３０に設置したときに包装容器の底板１１８から蓋部１２０に向かう方向に凸になるような曲線となるように、配置される。
【０１００】
本実施形態に関する包装容器３０によれば、端部エリア５３０の歯をより下方に突出させることができるため、端カットの初期において端部エリア５３０の歯を包装物５０に刺し込みやすく、端カットをより容易に行うことができる。一方で、本実施形態に関する包装容器３０によれば、第１の実施形態および第２の実施形態と同様に、中央エリア５１０が側部エリア５２０よりも突出して配置されているため、中央カットの初期において中央エリア５１０の歯を包装物５０に刺し込みやすく、中央カットをより容易に行うことができる。
【０１０１】
なお、切断刃５００の形状は上記略Ｍ字状に限定されることはなく、たとえば、側部エリア５２０のみにおいて上記各線が曲線となるように配置されていてもよい。
【０１０２】
［効果確認試験］
中央エリアと、外部エリア（側部エリアおよび端部エリア）と、を有する５つの樹脂製切断刃を用意した。それぞれの切断刃は、外向歯の有無、外向歯についてのＤ１／Ｄ２またはＤ３／Ｄ４、歯谷の形状（屈折点を有しているか、屈折点を有さずに円弧によって連接されているか）、ならびに歯谷が円弧によって連接されているときの円弧の曲率半径、が異なっていた。
【０１０３】
効果確認試験に用いた５つの切断刃について、中央エリアの形状を表１に、側部エリアの形状を表２に、端部エリアの形状を表３に、それぞれ示す。なお、Ｄ１／Ｄ２、Ｄ３／Ｄ４、曲率半径Ｒｃ、曲率半径Ｒ１および曲率半径Ｒ２について、各エリアにこれらが異なる複数の形状の歯が含まれるときは、Ｄ１／Ｄ２およびＤ３／Ｄ４については各エリアにおけるすべての値を、曲率半径Ｒｃ、曲率半径Ｒ１および曲率半径Ｒ２についてはその下限および上限を、それぞれ示す。
【０１０４】
【表１】
0006932286.tif 000002
【０１０５】
【表２】
0006932286.tif 000003
【０１０６】
【表３】
0006932286.tif 000004
【０１０７】
切断刃−１〜切断刃−５を各々図１および図２に示す形状の包装容器に接合したものを用いて、以下の試験−１〜試験−３を行った。
【０１０８】
（試験−１：  端カットのしやすさ）
無作為に選択した男女を含む２５人の試験者に、巻回されて包装容器に収容されたポリ塩化ビニリデン製のフィルムを端カットにより切断させた。それぞれの試験者による、４０回の切断のうち、斜め切れが生じた回数を計測し、以下の基準により端カットのしやすさを評価した。
◎  斜め切れが１回も生じかなった試験者は、総試験者のうち７０％以上だった
○  斜め切れが１回も生じかなった試験者は、総試験者のうち５０％以上６９％以下だった
△  斜め切れが１回も生じかなった試験者は、総試験者のうち３０％以上４９％以下だった
×  斜め切れが１回も生じかなった試験者は、総試験者のうち２９％以下だった
【０１０９】
（試験−２：  復旧率）
巻回されて包装容器に収容されたポリ塩化ビニリデン製のフィルムを収容容器から３０ｃｍ繰り出して、蓋部をしっかりと閉めた状態で、刃型がラップフィルムに残るようにラップフィルムを切断した。その後、残されたラップフィルムを、皺ができるだけ入らないようにして収容体の内部に巻き戻し、ラップフィルムの端部を巻回されているラップフィルムに密着させた。
【０１１０】
この状態から、無作為に選択した５０人の試験者に、テープなどの道具は使用しないで、縦裂けが生じないように、ラップフィルムの全幅を収容箱の外部に引き出させた。５０人の試験者による復旧のうち、２分以内に全幅を収容箱外部に引き出せた人数を計測し、その確率を復旧率とした。
【０１１１】
（試験−３：  中央カットに必要な切断力）
巻回されたポリ塩化ビニリデン製のフィルムを収容させた包装容器を、プッシュプルゲージが備えられた測定器に設置し、フィルムを３０ｃｍ繰り出して、測定器の固定治具に固定した。この状態で、包装容器の蓋部（掩蓋片）がフィルムから離れないように包装容器を固定しながら、切断刃の全体がフィルムに一様に押しつけられるように、毎秒９０°の回転速度で、巻回されたフィルムの巻回軸を中心に包装容器を回転させた。このとき、フィルムを切断するために必要だった回転力の最大値を５〜１０回測定し、これらの平均を、中央カットに必要な切断力とした。
【０１１２】
それぞれの切断刃についての、試験−１〜試験−３の結果を、表４に示す。
【０１１３】
【表４】
0006932286.tif 000005
【０１１４】
表４の結果から明らかなように、外部エリア（側部エリアまたは端部エリア）にのみ外向歯を有し、当該外向歯と当該外向歯に隣接して配置された隣接歯との間が円弧によって連接されていると、巻き戻り時の復旧率がより高くなった。
【０１１５】
また、Ｄ１／Ｄ２が０．２０以上０．４０以下であると、端カットおよび中央カットの両方で切断が容易になっており、Ｄ３／Ｄ４が０．３５以上０．５０未満であっても、端カットおよび中央カットの両方で切断が容易になっていた。
【０１１６】
［その他の実施形態］
なお、上述した実施形態は、本発明を実施するにあたっての具体化の一例を示したものに過ぎず、これによって本発明の技術的範囲が限定的に解釈されてはならない。すなわち、本発明はその要旨、またはその主要な特徴から逸脱することなく、様々な形で実施することができる。
【０１１７】
たとえば、中央エリア、側部エリア（側部接続領域および側部メイン領域）、および端部エリア（端部接続領域および端部メイン領域）は、それぞれ、上記曲率半径、Ｄ１／Ｄ２またはＤ３／Ｄ４が異なる複数の歯を有していてもよい。
【０１１８】
たとえば、上記各実施形態では、中央エリアに配置されたすべての中央歯について曲率半径Ｒｃが上記範囲に含まれるとしたが、いずれか１つの中央歯について曲率半径Ｒｃが上記範囲に含まれればよい。ただし、少なくとも半分以上の中央歯について曲率半径Ｒｃが上記範囲に含まれることが好ましく、すべての中央歯について曲率半径Ｒｃが上記範囲に含まれることがより好ましい。
【０１１９】
また、上記各実施形態では、側部エリアに配置されたすべての外向歯について曲率半径Ｒ１が上記範囲に含まれるとしたが、いずれか１つの外向歯について曲率半径Ｒ１が上記範囲に含まれればよい。ただし、少なくとも半分以上の外向歯について曲率半径Ｒ１が上記範囲に含まれることが好ましく、すべての外向歯について曲率半径Ｒ１が上記範囲に含まれることがより好ましい。
【０１２０】
また、上記各実施形態では、端部エリアに配置されたすべての端部歯について曲率半径Ｒ２が上記範囲に含まれるとしたが、いずれか１つの端部歯について曲率半径Ｒ２が上記範囲に含まれればよい。ただし、少なくとも半分以上の端部歯について曲率半径Ｒ２が上記範囲に含まれることが好ましく、すべての端部歯について曲率半径Ｒ２が上記範囲に含まれることがより好ましい。
【０１２１】
また、上記各実施形態では、中央歯、側部歯および端部歯それぞれのすべてについて斜辺の曲率半径Rが上記範囲に含まれるとしたが、いずれか１つの中央歯、側部歯または端部歯について曲率半径Ｒが上記範囲に含まれればよい。ただし、中央歯、側部歯および端部歯それぞれについて、少なくとも半分以上の歯の曲率半径Ｒが上記範囲に含まれることが好ましく、すべての歯について曲率半径Ｒが上記範囲に含まれることがより好ましい。
【０１２２】
また、上記各実施形態では、側部エリアに配置されたすべての外向歯についてＤ１／Ｄ２が上記範囲に含まれるとしたが、いずれか１つの外向歯についてＤ１／Ｄ２が上記範囲に含まれればよい。ただし、少なくとも半分以上の外向歯についてＤ１／Ｄ２が上記範囲に含まれることが好ましく、すべての外向歯についてＤ１／Ｄ２が上記範囲に含まれることがより好ましい。
【０１２３】
また、上記第２の実施形態では、端部エリアに配置されたすべての外向歯についてＤ３／Ｄ４が上記範囲に含まれるとしたが、いずれか１つの外向歯についてＤ３／Ｄ４が上記範囲に含まれればよい。ただし、少なくとも半分以上の外向歯についてＤ３／Ｄ４が上記範囲に含まれることが好ましく、すべての外向歯についてＤ３／Ｄ４が上記範囲に含まれることがより好ましい。
【０１２４】
また、上記各実施形態では、中央エリアに中央小歯が配置されているが、中央小歯が配置されない構成であってもよい。
【０１２５】
なお、上述したいずれの実施形態においても、切断刃は、ポリエステル、ポリエチレン、ポリプロピレン、ポリスチレン、ポリアセタール、ポリフェニレンサルファイド、ポリエーテルエーテルケトン（ＰＥＥＫ）、ポリエーテルサルフォン（ＰＥＳ）、およびポリ乳酸（ＰＬＡ）などの樹脂製でもよいし、金属製でもよい。ただし、効果確認試験−２で示したように、切断刃が樹脂製であるとき、包装物の縦裂けはより生じやすい。そのため、包装物の縦裂けを抑制するという効果は、切断刃が樹脂製であるときに顕著である。
【０１２６】
また、前板のうち、蓋部が開口部を閉じたときに掩蓋片と対向する領域には、包装物の切断部付近を付着させて巻き戻りを抑制するためのストッパを有してもよい。ストッパは、たとえば、前板に、前板の一部を切り起こしたフラップを形成し、フラップの表面に形成する構成とすることができる。
【０１２７】
また、本体部、蓋部および抑え板の表面は、耐水性および耐光性などを高めるため、紫外線硬化型ニスを塗布および硬化させるなどして表面処理されていてもよい。
【０１２８】
また、包装物は、シート状またはフィルム状の長尺物が巻回されていればよく、その材料は、樹脂（ポリ塩化ビニリデン、塩化ビニル、ポリエチレン、ポリメチルペンテンなどからなる単層または多層のフィルムまたはシートなど）、紙（ロール紙、キッチンペーパー、調理用加熱シートおよびクッキングシートなど）および金属箔（アルミホイルなど）などであってもよい。
【０１２９】
本出願は、２０１９年３月１９日出願の日本国出願番号２０１９−０５１４４７号に基づく優先権を主張する出願であり、当該出願の特許請求の範囲、明細書および図面に記載された内容は本出願に援用される。
【産業上の利用可能性】
【０１３０】
本発明の切断刃は、巻回された包装物の逆回転などにより切断された包装物が本体部の内部へ巻き戻って、包装物の端部が巻回された包装物の表面に貼り付いてしまい、上記貼り付いてしまった端部を再び本体部と蓋部との間に復旧させるときに、包装物への縦裂けの発生を抑制することができる。そのため、本発明は、包装容器のより快適な使用を可能とし、包装用フィルムなどの家庭および業務用の使用を促進して、当分野の発展に寄与すると期待される。
【符号の説明】
【０１３１】
１０、２０、３０  包装容器
５０  包装物
１００  収容箱
１１０  本体部
１１２ａ、１１２ｂ  端板
１１４  前板
１１６  後板
１１８  底板
１１９  開口面
１２０  蓋部
１２２  蓋板
１２４  掩蓋片
１２５、１２５ａ、１２５ｂ  掩蓋片の先端
１２６ａ、１２６ｂ  側蓋片
１２８  連接部
２００、３００、４００、５００  切断刃
２１０、３１０、４１０、５１０  中央エリア
２１２、２１２ａ、２１２ｂ、２１２ｃ、３１２  中央大歯
２１４、２１４ａ、２１４ｂ、２１４ｃ、２１４ｄ、３１４  中央中歯
２１６、３１６  中央小歯
２２０、３２０、４２０、５２０  側部エリア
２２２、３２２、３２２ａ、３２２ｂ  側部歯
２３０、３３０、４３０、５３０  端部エリア
２３２、２３２ａ、２３２ｂ、３３２、３３２ａ、３３２ｂ  端大歯
２３４、２３４ａ、２３４ｂ、３３４  端中歯
３２０ａ  側部接続領域
３２０ｂ  側部メイン領域
３３０ａ  端部接続領域
３３０ｂ  端部メイン領域
３２２ｃ  側部接続歯
３３６、３３６ａ、３３６ｂ  接続中歯
３３８、３３８ａ、３３８ｂ  接続大歯
【図１】
0006932286.tif 000006
【図２】
0006932286.tif 000007
【図３】
0006932286.tif 000008
【図４】
0006932286.tif 000009
【図５】
0006932286.tif 000010
【図６】
0006932286.tif 000011
【図７】
0006932286.tif 000012
【図８】
0006932286.tif 000013
【図９】
0006932286.tif 000014
【図１０】
0006932286.tif 000015
【図１１】
0006932286.tif 000016
【図１２】
0006932286.tif 000017